(57)【要約】【課題】数種のディスクに対しても同期信号の検出を円滑かつ適正に行える同期信号検出回路およびそれを採用するディスク再生装置を提供する。【解決手段】スライスレベルの設定時には、まず、ディスク判別回路１１０により再生対象ディスクが判別され、さらに、ディスクを起動しながら、ピーク検出回路１０９にて再生ＲＦ信号のピークレベルが検出される。しかる後、スライスレベルコントローラ１１１の内蔵メモリから、再生対象ディスクに応じた比率γが読み出され、上記の如く、再生ＲＦ信号のピークレベルに比率γを乗じてスライスレベルが設定される。スライスレベルが再生対象ディスクの種別に応じて設定されるため、それぞれのディスクに適した信号レベルを用いて同期信号の検出を行うことができる。よって、各ディスクに対する同期信号の検出を、円滑かつ適正に行うことができる。【選択図】図１
2008052785.tif 000002
【特許請求の範囲】
【請求項１】
所定の信号レベルにて信号波形をスライスしたときの信号幅に基づいて同期信号を検出する同期信号検出回路において、
再生対象とされるディスクの種類を判別するディスク判別部と、
前記ディスク判別部による判別結果に基づいて前記信号波形をスライスする前記信号レベルを設定するスライスレベル設定部とを有する、
ことを特徴とする同期信号検出回路。
【請求項２】
請求項１において、
前記スライスレベル設定部は、前記信号レベルを前記ディスク種別に対応付けて記憶する記憶部を備え、前記ディスク判別部による判別結果に対応する信号レベルを前記記憶部から取得して、前記信号波形をスライスするための前記信号レベルに設定する、
ことを特徴とする同期信号検出回路。
【請求項３】
請求項１において、
前記信号波形のピークレベルを検出するピーク検出部をさらに備え、
前記スライスレベル設定部は、前記ディスク判別部による判別結果と前記ピーク検出部による検出結果に基づいて前記信号レベルを設定する、
ことを特徴とする同期信号検出回路。
【請求項４】
請求項３において、
前記スライスレベル設定部は、前記ピークレベルから前記信号レベルを算出するためのパラメータ値を前記ディスク種別に対応付けて記憶する記憶部を備え、前記ディスク判別部による判別結果に対応する前記パラメータ値を前記記憶部から取得し、取得したパラメータ値と前記ピーク検出部によって検出されたピークレベルから前記信号波形をスライスするための前記信号レベルを算出する、
ことを特徴とする同期信号検出回路。
【請求項５】
請求項４において、
前記パラメータ値は、前記ピークレベルに対する前記信号レベルの比率である、
ことを特徴とする同期信号検出回路。
【請求項６】
請求項１ないし５の何れか一項において、
前記同期信号の検出率を判別する検出率判別部と、
前記スライスレベル設定部によって設定された信号レベルを前記検出率判別部による検出結果に基づいて調整するスライスレベル調整部をさらに有する、
ことを特徴とする同期信号検出回路。
【請求項７】
請求項６において、
前記スライスレベル調整部は、前記検出率判別部による前記検出率が閾値以上となるように前記信号レベルを調整する、
ことを特徴とする同期信号検出回路。
【請求項８】
請求項７において、
前記スライスレベル調整部は、前記スライスレベル設定部によって設定された信号レベルを一定レベルだけ加減しつつ前記検出率を監視し、前記検出率が前記閾値以上となったときの信号レベルを、前記信号波形をスライスするための信号レベルとして設定する、
ことを特徴とする同期信号検出回路。
【請求項９】
請求項１ないし８の何れか一項に記載の同期信号検出回路を有するディスク再生装置。
【発明の詳細な説明】
【技術分野】
【０００１】
本発明は、同期信号検出回路およびディスク再生装置に関し、特に、数種のディスクを再生する際に用いて好適なものである。
【背景技術】
【０００２】
ＤＶＤドライブや次世代ＤＶＤドライブ等のディスク再生装置には、再生信号から同期信号を検出するための同期信号検出回路が配されている。一般に、同期信号は、再生信号を所定の信号レベルでスライスしたときの信号幅に基づいて検出される。たとえば、予め設定された信号レベルで再生信号をスライスして得られる信号幅のうち最長の信号幅の期間が同期信号期間として検出される。なお、同期信号検出回路として、以下の特許文献１、２に記載の発明が知られている。
【特許文献１】特開平７−３２６１３９号公報
【特許文献２】特開平８−１３８３２８号公報
【発明の開示】
【発明が解決しようとする課題】
【０００３】
近年、光ディスクの多様化が進み、ＤＶＤの他、ＨＤＤＶＤ（High Definition DVD）やＢＤ（ブルーレイディスク）等の高密度光ディスクが商品化されている。これに伴い、ドライブ側では、異なるフォーマットの光ディスクへの対応が求められている。しかし、このように、採用される信号フォーマットが相違すると、ディスク毎に再生信号波形の状態が異なるため、同期信号の検出が難しくなる。
【０００４】
図７および図８は、再生信号処理方式として、ＰＲ（１，２，２，２，１）のＰＲＭＬ（Partial Response Maximum Likelihood）を採用するディスクと、ＰＲ（１，２，２，１）のＰＲＭＬを採用するディスクの再生信号波形を示す図である。ここでは、同期信号の検出のために、プラス側とマイナス側に２つの信号レベルＬ１、Ｌ２が設定されている。この場合、図７に示す再生信号波形については、Ｔ１−Ｔ２の期間が同期信号期間として誤検出されないが、図８に示す再生信号波形では、Ｔ１−Ｔ２の期間が同期信号期間として誤検出されてしまう。
【０００５】
このように、信号レベルＬ１、Ｌ２を一意に設定すると、あるディスクについては適正に同期信号を検出できるが、他のディスクについては同期信号の検出精度が劣化するとの問題が生じる。信号レベルＬ１、Ｌ２は、同期信号の誤検出を抑制するためには再生信号波形のセンターレベルから離すのが良く、逆に、同期信号期間の検出精度を高めるにはセンターレベルに近付けるのが良い。このように、信号レベルＬ１、Ｌ２の設定は、同期信号の誤検出抑制と同期信号期間の検出精度向上の、互いにトレードオフの関係にある２つのファクターを考慮して行わなければならない。このため、数種のディスクについて、一意に好ましい信号レベルを設定するのは極めて困難である。
【０００６】
この問題は、再生対象とされるディスクの種別が増加するほど顕著となる。たとえば、ＨＤとＢＤでは、図７および図８に示す如く、同期信号検出のためにプラス側とマイナス側に２つの信号レベルＬ１、Ｌ２が設定され、ＤＶＤでは、通常、再生信号波形のセンターレベル付近に一つの信号レベルのみが設定される。したがって、ＨＤ、ＢＤの他、ＤＶＤをも互換再生する場合には、信号レベルの設定方法の相違により、同期信号検出のための信号レベルを一意に設定するのが益々困難となる。
【０００７】
本発明は、上記のような問題に鑑みてなされたものであり、数種のディスクに対しても同期信号の検出を円滑かつ適正に行える同期信号検出回路およびそれを採用するディスク再生装置を提供することを課題とする。
【課題を解決するための手段】
【０００８】
上記課題に鑑み本発明は、以下の特徴を有する。
【０００９】
請求項１の発明は、所定の信号レベルにて信号波形をスライスしたときの信号幅に基づいて同期信号を検出する同期信号検出回路において、再生対象とされるディスクの種類を判別するディスク判別部と、前記ディスク判別部による判別結果に基づいて前記信号波形をスライスする前記信号レベルを設定するスライスレベル設定部とを有することを特徴とする。
【００１０】
請求項２の発明は、請求項１に記載の同期信号検出回路において、前記スライスレベル設定部は、前記信号レベルを前記ディスク種別に対応付けて記憶する記憶部を備え、前記ディスク判別部による判別結果に対応する信号レベルを前記記憶部から取得して、前記信号波形をスライスするための前記信号レベルに設定することを特徴とする。
【００１１】
請求項３の発明は、請求項１に記載の同期信号検出回路において、前記信号波形のピークレベルを検出するピーク検出部をさらに備え、前記スライスレベル設定部は、前記ディスク判別部による判別結果と前記ピーク検出部による検出結果に基づいて前記信号レベルを設定することを特徴とする。
【００１２】
請求項４の発明は、請求項３に記載の同期信号検出回路において、前記スライスレベル設定部は、前記ピークレベルから前記信号レベルを算出するためのパラメータ値を前記ディスク種別に対応付けて記憶する記憶部を備え、前記ディスク判別部による判別結果に対応する前記パラメータ値を前記記憶部から取得し、取得したパラメータ値と前記ピーク検出部によって検出されたピークレベルから前記信号波形をスライスするための前記信号レベルを算出することを特徴とする。
【００１３】
請求項５の発明は、請求項４に記載の同期信号検出回路において、前記パラメータ値は、前記ピークレベルに対する前記信号レベルの比率であることを特徴とする。
【００１４】
請求項６の発明は、請求項１ないし５の何れか一項に記載の同期信号検出回路において、前記同期信号の検出率を判別する検出率判別部と、前記スライスレベル設定部によって設定された信号レベルを前記検出率判別部による検出結果に基づいて調整するスライスレベル調整部をさらに有することを特徴とする。
【００１５】
請求項７の発明は、請求項６に記載の同期信号検出回路において、前記スライスレベル調整部は、前記検出率判別部による前記検出率が閾値以上となるように前記信号レベルを調整することを特徴とする。
【００１６】
請求項８の発明は、請求項７に記載の同期信号検出回路において、前記スライスレベル調整部は、前記スライスレベル設定部によって設定された信号レベルを一定レベルだけ加減しつつ前記検出率を監視し、前記検出率が前記閾値以上となったときの信号レベルを、前記信号波形をスライスするための信号レベルとして設定する、
ことを特徴とする。
【００１７】
請求項９の発明は、請求項１ないし８の何れか一項に記載の同期信号検出回路を有するディスク再生装置である。
【００１８】
なお、上記に示す「スライスレベル設定部」と「スライスレベル調整部」は、以下の実施形態では、共に、スライスレベルコントローラ１１１に含まれている。また、上記に示す「検出率判別部」は、以下の実施形態では、Ｓｙｎｃ検出回路１１２に含まれている。さらに、上記に示す「同期信号の検出率」は、以下の実施形態では、同期信号の内挿補間率として表されている。
【００１９】
ただし、以下の実施形態は、本発明の技術的範囲を何ら制限するものではない。
【発明の効果】
【００２０】
本発明によれば、同期信号検出のための信号レベルがディスク種別の判別結果に応じて設定されるため、それぞれのディスクに適した信号レベルを用いて同期信号の検出を行うことができる。よって、各ディスクに対する同期信号の検出を、円滑かつ適正に行うことができる。
【００２１】
また、請求項２の発明のように、記憶部から信号レベルを取得するようにすれば、信号レベルの設定を迅速に行うことができる。
【００２２】
また、請求項３ないし５の発明のように、同期信号の検出に用いる信号レベルを信号波形のピークレベルをもとに設定するようにすれば、当該ディスクの信号波形の状態に応じて信号レベルを適応的に変化させることができる。よって、同期信号の検出精度をさらに高めることができる。
【００２３】
さらに、請求項６ないし８の発明のように、同期信号の検出に用いる信号レベルをさらに調整するようにすれば、同期信号の検出を、同一ディスク上における記録状態の変化や環境変化等に追随させることができる。
【００２４】
本発明の特徴は、以下に示す実施の形態の説明により更に明らかとなろう。
【００２５】
ただし、以下の実施の形態は、あくまでも、本発明を実施化する際の一つの例示であって、本発明ないし各構成要件の用語の意義は、以下の実施の形態に記載されたものに制限されるものではない。
【発明を実施するための最良の形態】
【００２６】
図１に、実施の形態に係るディスク再生装置の構成を示す。なお、本実施の形態は、ＨＤ、ＢＤおよびＤＶＤを互換再生可能なディスク再生装置に本発明を適用したものである。
【００２７】
図示の如く、本実施の形態に係るディスク再生装置は、光ピックアップ１０１と、増幅回路１０２と、ＡＤ変換回路１０３と、オフセット調整回路１０４と、デジタルＰＬＬ１０５と、イコライザ１０６と、ビタビ復号器１０７と、復調回路１０８と、ピーク検出回路１０９と、ディスク判別回路１１０と、スライスレベルコントローラ１１１と、Ｓｙｎｃ検出回路１１２と、周波数エラー検出回路１１３と、サーボ回路１１４と、スピンドルモータ１１５を備えている。なお、デジタルＰＬＬ１０５、イコライザ１０６、ビタビ復号器１０７および復調回路１０８は、ＨＤ、ＢＤおよびＤＶＤに対応して、それぞれ３系統配されている。
【００２８】
光ピックアップ１０１は、ディスクにレーザ光を照射するとともに、ディスクからの反射光を受光してデータの読み取りを行う。増幅回路１０２は、光ピックアップ１０１から供給される再生ＲＦ信号を増幅してＡＤ変換回路１０３に出力する。ＡＤ変換回路１０３は、非同期クロックに応じたタイミングにて再生ＲＦ信号をサンプリングし、サンプル値をデジタルデータに変換してオフセット調整回路１０４に出力する。オフセット調整回路１０４は、再生ＲＦ信号に含まれるＤＣオフセットを検出してこれを除去し、オフセットのない再生ＲＦ信号（デジタルデータ）を出力する。
【００２９】
デジタルＰＬＬ１０５は、ＡＤ変換回路１０３にてサンプリングされたデータを補間して、正規のサンプリングタイミングにおけるデータを生成する。イコライザ１０６は、デジタルＰＬＬ１０５から供給されるデータに対して波形等化処理を施してビタビ復号器１０７に出力する。ビタビ復号器１０７は、イコライザ１０６から入力されるデジタルデータにビタビ復号処理を施して１、０の２値化データを生成出力する。復調回路１０８は、ビタビ復号器１０７から出力される２値化データを復調して、再生データを生成する。
【００３０】
ピーク検出回路１０９は、オフセット調整回路１０４から供給されるデジタルデータに基づいて、オフセット除去後の再生ＲＦ信号のピークレベルを検出する。
【００３１】
ディスク判別回路１１０は、再生対象ディスクの種類を判別する。ここで、ディスクの種類判別は、たとえば、光ピックアップ１０１から出力される各種信号を参照して行われる。たとえば、ＨＤ用対物レンズを用いてディスクにレーザ光を照射した場合、各ディスクの層材料や基板厚の相違あるいは各ディスクに設定された開口数の相違等に起因して、光ピックアップ１０１内の光検出器によって受光される光量が、ディスク毎に相違する。このため、フォーカス引き込み時におけるフォーカスエラー信号の振幅や光検出器から出力される信号の和信号の振幅がディスク毎に相違するようになる。よって、これらの信号を、予めディスク毎に設定した信号レンジと比較することにより、再生対象ディスクの種類を判別できる。
【００３２】
この他、再生対象ディスクから物理情報を読み取ることにより当該ディスクの種類を判別するようにすることもできる。ただし、この場合には、使用する対物レンズとレーザ光を切り替えながらディスクに対するレーザ光のフォーカス引き込みとトラッキング引き込みを行う必要があるため、上記に比べ、ディスク判別に要する時間が長くなる。
【００３３】
スライスレベルコントローラ１１１は、ピーク検出回路１０９から供給される再生ＲＦ信号のピークレベルと、ディスク判別回路１１０から供給されるディスク種類の判別結果に基づいて、同期信号検出に用いる信号レベル（以下、「スライスレベル」という）を設定する。スライスレベルコントローラ１１１は、ピークレベルに対するスライスレベルの比率をディスク種別に対応付けて、内部メモリに保持している。
【００３４】
ここで、ディスク判別回路１１０における判別結果がＨＤであれば、内部メモリからＨＤ用の比率γ１が読み出され、ピーク検出回路１０９で検出されたプラス側およびマイナス側のピークレベルにそれぞれ比率γ１を乗算して、プラス側およびマイナス側のスライスレベルＬ１、Ｌ２が設定される。また、ディスク判別回路１１０における判別結果がＢＤであれば、内部メモリからＢＤ用の比率γ２が読み出され、ピーク検出回路１０９で検出されたプラス側およびマイナス側のピークレベルにそれぞれ比率γ２を乗算して、プラス側およびマイナス側のスライスレベルＬ１、Ｌ２が設定される。なお、ディスク判別回路１１０における判別結果がＤＶＤであれば、再生ＲＦ信号のセンターレベルにスライスレベルが設定される。
【００３５】
スライスレベルコントローラ１１１は、このようにして設定したスライスレベルを、Ｓｙｎｃ検出回路１１２における同期信号の検出率に応じて調整する。なお、スライスレベルの調整方法については、追って、図４を参照して説明する。
【００３６】
Ｓｙｎｃ検出回路１１２は、スライスレベルコントローラ１１１によって設定されたスライスレベルを用いて同期信号を検出する。ここで、再生対象ディスクがＨＤまたはＢＤである場合には、以下のようにして、同期信号期間の検出が行われる。
【００３７】
まず、再生ＲＦ信号が正負２つのスライスレベルＬ１、Ｌ２にてスライスされ、各スライス時における信号期間（信号幅Ｄ）が検出される。すなわち、正のスライスレベルＬ１にてスライスされる場合は、再生ＲＦ信号の振幅値がＬ１以上となってからＬ１未満となるまでの期間が信号幅Ｄとして検出され、負のスライスレベルＬ２にてスライスされる場合は、再生信号の振幅値がＬ２以下となってからＬ２を越えるまでの期間が信号幅Ｄとして検出される。具体的には、その期間内に含まれるシステムクロックの個数がカウントされ、そのカウント数が信号幅Ｄとされる。そして、予め設定された期間（最大幅検出期間）において取得される複数の信号幅Ｄの長さが比較され、そのうち、プラス側にて最長の信号幅Ｄが当該最大幅検出期間におけるプラス側の最大信号幅ＭＡＸ−Ｄ１として取得される。同様に、マイナス側にて最長の信号幅Ｄが当該最大幅検出期間におけるマイナス側の最大信号幅ＭＡＸ−Ｄ２として取得される。
【００３８】
このように取得された最大信号幅ＭＡＸ−Ｄ１、ＭＡＸ−Ｄ２は、基準同期信号幅Ｗ１、Ｗ２をマージンα、βで調整した信号幅Ｗ１±α、Ｗ２±βと比較される。ここで、基準同期信号幅Ｗ１、Ｗ２は、正負２つのスライスレベルＬ１、Ｌ２にて再生ＲＦ信号をスライスして得た信号幅Ｄを、予め設定された基準同期信号幅検出期間において比較し、そのうち、プラス側とマイナス側にて最大となる信号幅Ｄをそれぞれ基準同期信号幅Ｗ１とＷ２とすることにより設定される。
【００３９】
最大信号幅ＭＡＸ−Ｄ１がＷ１−αからＷ１＋αの範囲内にある場合は、最大信号幅ＭＡＸ−Ｄ１が同期信号期間とされ、Ｗ１−αからＷ１＋αの範囲内にない場合は、最大信号幅ＭＡＸ−Ｄ１は同期信号期間とはされない。同様に、最大信号幅ＭＡＸ−Ｄ２がＷ２−βからＷ２＋βの範囲内にある場合は、最大信号幅ＭＡＸ−Ｄ２が同期信号期間とされ、Ｗ２−βからＷ２＋βの範囲内にない場合は、最大信号幅ＭＡＸ−Ｄ２は同期信号期間とはされない。
【００４０】
再生対象ディスクがＤＶＤである場合には、一つのスライスレベルを用いて上記と同様の処理が行われ、同期信号期間が検出される。すなわち、再生ＲＦ信号の振幅値がスライスレベルＬ以上となってからＬ未満となるまでの期間が信号幅Ｄとして検出され、予め設定された期間（最大幅検出期間）において取得される複数の信号幅Ｄの長さが比較され、そのうち、最長の信号幅Ｄが当該最大幅検出期間におけるプラ最大信号幅ＭＡＸ−Ｄとして取得される。そして、このように取得された最大信号幅ＭＡＸ−Ｄが、基準同期信号幅Ｗをマージンαで調整した信号幅Ｗ±αと比較され、最大信号幅ＭＡＸ−ＤがＷ−αからＷ＋αの範囲内にある場合は、最大信号幅ＭＡＸ−Ｄが同期信号期間とされ、Ｗ−αからＷ＋αの範囲内にない場合は、最大信号幅ＭＡＸ−Ｄは同期信号期間とされない。
【００４１】
Ｓｙｎｃ検出回路１１２は、同期信号期間と同じ周期で一定幅の検出窓を設定し、各検出窓内において、上記の如くして同期信号期間を検出できたときには、同期信号期間の検出に応じて検出信号を出力する。また、各検出窓内において同期信号期間を検出できない場合には、それまでの同期信号期間の周期に応じたタイミングにて擬似の同期信号期間の検出信号を出力する。Ｓｙｎｃ検出回路１１２は、このようにして出力された擬似の検出信号の割合（内挿補間率）を逐次算出し、これをスライスレベルコントローラ１１１に出力する。スライスレベルコントローラ１１１は、Ｓｙｎｃ検出回路１１２から供給される内挿補間率に基づいて、Ｓｙｎｃ検出回路１１２に供給するスライスレベルを調整する。
【００４２】
周波数エラー検出回路１１３は、Ｓｙｎｃ検出回路１１２から供給される同期信号期間の検出信号から同期信号の周波数を検出し、この周波数と基準周波数との間の差分ΔＦを周波数ずれデータとしてデジタルＰＬＬ１０５に出力する。デジタルＰＬＬ１０５は、この差分ΔＦをゼロに近付けるよう補間タイミングを調整する。
【００４３】
サーボ回路１１４は、Ｓｙｎｃ検出回路１１２から供給される検出信号の周波数を目標値に近づけるためのサーボ信号を生成し、これをスピンドルモータ１１５に出力する。スピンドルモータ１１５は、サーボ回路１１４から供給されるサーボ信号に応じてディスクを回転駆動する。
【００４４】
図２（ａ）は、スライスレベルの設定時の処理フローチャートである。
【００４５】
スライスレベルの設定時には、まず、ディスク判別回路１１０により再生対象ディスクが判別され（Ｓ１０１）、さらに、ディスクを起動しながら、ピーク検出回路１０９にて再生ＲＦ信号のピークレベルが検出される（Ｓ１０２）。しかる後、スライスレベルコントローラ１１１の内蔵メモリから、再生対象ディスクに応じた比率γが読み出され、上記の如く、再生ＲＦ信号のピークレベルに比率γを乗じてスライスレベルが設定される（Ｓ１０３）。
【００４６】
図３は、スライスレベル調整時の処理フローチャートである。
【００４７】
スライスレベルの調整処理は、スライスレベルが不適正となったときに実行される。スライスレベルの適否は、たとえば、Ｓｙｎｃ検出回路１１２からスライスレベルコントローラ１１１に供給される同期信号の内挿補間率をもとに判別される。具体的には、同期信号の内挿補間率が予め設定された閾値以上となったとき、スライスレベルコントローラ１１１は、スライスレベルの調整処理を行う。
【００４８】
スライスレベルの調整時には、調整処理開始直前のスライスレベルＬｓがスライスレベルＬｎに設定され（Ｓ２０１）、変数Ｎに１がセットされる（Ｓ２０２）。しかる後、スライスレベルＬｎがΔＬだけゼロレベルに近付けられ（Ｓ２０３）、そのときの内挿補間率Ｒが取得される。このように取得された内挿補間率Ｒが、予め設定された閾値Ｒ０と比較され（Ｓ２０４）、Ｒ＜Ｒ０であれば（Ｓ２０４：ＮＯ）、スライスレベルＬｎが新たなスライスレベルとして設定される（Ｓ２０５）。一方、Ｒ≧Ｒ０であれば（Ｓ２０４：ＹＥＳ）、変数Ｎに１が加算され（Ｓ２０６）、加算後の変数ＮがＮａを超えたかが判別される（Ｓ２０７）。加算後の変数ＮがＮａを超えていなければ（Ｓ２０７：ＮＯ）、Ｓ２０３に戻り、スライスレベルＬｎがさらにΔＬだけゼロレベルに近付けられ、以後、同様の処理が繰り返される。
【００４９】
スライスレベルＬｎをＮａ回ゼロレベルに近付ける間に内挿補間率Ｒが閾値Ｒ０未満となれば（Ｓ２０４：ＮＯ）、そのときのスライスレベルＬｎが新たなスライスレベルとして設定される（Ｓ２０５）。
【００５０】
スライスレベルＬｎをＮａ回ゼロレベルに近付けても内挿補間率Ｒが閾値Ｒ０未満とならなければ（Ｓ２０７：ＹＥＳ）、スライスレベルＬｎが、再度、調整処理開始直前のスライスレベルＬｓに戻され（Ｓ２０８）、同時に、変数ＮがＮ＝１に戻される（Ｓ２０９）。しかる後、スライスレベルＬｎがΔＬだけゼロレベルから離され（Ｓ２１０）、そのときの内挿補間率Ｒが取得される。このように取得された内挿補間率Ｒが、予め設定された閾値Ｒ０と比較され（Ｓ２１１）、Ｒ＜Ｒ０であれば（Ｓ２１１：ＮＯ）、スライスレベルＬｎが新たなスライスレベルとして設定される（Ｓ２１２）。一方、Ｒ≧Ｒ０であれば（Ｓ２１１：ＹＥＳ）、変数Ｎに１が加算され（Ｓ２１３）、加算後の変数ＮがＮｂを超えたかが判別される（Ｓ２１４）。加算後の変数ＮがＮｂを超えていなければ（Ｓ２１４：ＮＯ）、Ｓ２１０に戻り、スライスレベルＬｎがさらにΔＬだけゼロレベルから離され、以後、同様の処理が繰り返される。
【００５１】
スライスレベルＬｎをＮｂ回ゼロレベルから離間させる間に内挿補間率Ｒが閾値Ｒ０未満となれば（Ｓ２１１：ＮＯ）、そのときのスライスレベルＬｎが新たなスライスレベルとして設定される（Ｓ２１２）。スライスレベルＬｎをＮｂ回ゼロレベルから離間させても内挿補間率Ｒが閾値Ｒ０未満とならなければ（Ｓ２１４：ＹＥＳ）、本ルーチンではスライスレベルを適正化できないとして処理が終了される。
【００５２】
以上、本実施の形態によれば、スライスレベルが再生対象ディスクの種別に応じて設定されるため、それぞれのディスクに適した信号レベルを用いて同期信号の検出を行うことができる。よって、各ディスクに対する同期信号の検出を、円滑かつ適正に行うことができる。
【００５３】
また、再生ＲＦ信号のピークレベルをもとにスライスレベルが設定されるため、再生対象ディスクの信号状態に応じてスライスレベルを適応的に変化させることができる。よって、同期信号の検出精度をさらに高めることができる。
【００５４】
さらに、同期信号の検出率の低下に応じてスライスレベルが調整されるため、同期信号の検出を、同一ディスク上における記録状態の変化や環境変化等に追随させることができる。
【００５５】
なお、図３の処理フローでは、スライスレベルＬｎをＬｓからΔＬずつＮａ回ゼロレベルに接近させた後、ＬｓからΔＬずつＮｂ回ゼロレベルから離間させるようにしたが、スライスレベルＬｎをＬｓからΔＬだけゼロレベルに接近させて内挿補間率Ｒと閾値Ｒ０を比較する工程と、スライスレベルＬｎをＬｓからΔＬだけゼロレベルから離間させて内挿補間率Ｒと閾値Ｒ０を比較する工程を交互に繰り返し、スライスレベルＬｎをスライスレベルＬＳからプラス方向とマイナス方向にΔＬずつ交互に離間させながら、内挿補間率Ｒが閾値Ｒ０未満となるスライスレベルＬｎを取得するようにしても良い。
【００５６】
また、図３の処理フローでは、スライスレベルの初期値として調整処理開始直前のスライスレベルＬｓを用いて、スライスレベルＬｎをスライスレベルＬｓからΔＬずつ変化させるようにしたが、図２（ａ）の処理フローにて設定されたスライスレベルＬ０を保持しておき、スライスレベル調整時の初期値として、このスライスレベルＬ０を用いるようにしても良い。
【００５７】
図４は、この場合の処理フローチャートである。
【００５８】
スライスレベルの調整時には、図２（ａ）の処理フローにて設定されたスライスレベルの初期値Ｌ０がスライスレベルＬｎに設定され（Ｓ２２１）、変数Ｎに１がセットされる（Ｓ２２２）。しかる後、Ｓ２２１で設定されたスライスレベルにて内挿補間率Ｒが取得され、取得された内挿補間率Ｒが、予め設定された閾値Ｒ０と比較される（Ｓ２２３）。ここで、Ｒ＜Ｒ０であれば（Ｓ２２３：ＮＯ）、スライスレベルＬｎが新たなスライスレベルとして設定される（Ｓ２２４）。一方、Ｒ≧Ｒ０であれば（Ｓ２２３：ＹＥＳ）、スライスレベルＬｎがΔＬだけゼロレベルに近付けられた後（Ｓ２２５）、変数Ｎに１が加算され（Ｓ２２６）、加算後の変数ＮがＮａを超えたかが判別される（Ｓ２２７）。加算後の変数ＮがＮａを超えていなければ（Ｓ２２７：ＮＯ）、Ｓ２２３に戻り、以後、同様の処理が繰り返される。
【００５９】
スライスレベルＬｎを初期値Ｌ０からＮａ回ゼロレベルに近付ける間に内挿補間率Ｒが閾値Ｒ０未満となれば（Ｓ２２３：ＮＯ）、そのときのスライスレベルＬｎが新たなスライスレベルとして設定される（Ｓ２２４）。
【００６０】
スライスレベルＬｎを初期値Ｌ０からＮａ回ゼロレベルに近付けても内挿補間率Ｒが閾値Ｒ０未満とならなければ（Ｓ２２７：ＹＥＳ）、スライスレベルＬｎが、再度、初期値Ｌ０に戻され（Ｓ２２８）、同時に、変数ＮがＮ＝１に戻される（Ｓ２２９）。しかる後、スライスレベルＬｎがΔＬだけゼロレベルから離され（Ｓ２３０）、そのときの内挿補間率Ｒが取得される。このように取得された内挿補間率Ｒが、予め設定された閾値Ｒ０と比較され（Ｓ２３１）、Ｒ＜Ｒ０であれば（Ｓ２３１：ＮＯ）、スライスレベルＬｎが新たなスライスレベルとして設定される（Ｓ２３２）。一方、Ｒ≧Ｒ０であれば（Ｓ２３１：ＹＥＳ）、変数Ｎに１が加算され（Ｓ２３３）、加算後の変数ＮがＮａを超えたかが判別される（Ｓ２３４）。加算後の変数ＮがＮｂを超えていなければ（Ｓ２３４：ＮＯ）、Ｓ２３０に戻り、スライスレベルＬｎがさらにΔＬだけゼロレベルから離され、以後、同様の処理が繰り返される。
【００６１】
スライスレベルＬｎを初期値Ｌ０からＮｂ回ゼロレベルに対して離間させる間に内挿補間率Ｒが閾値Ｒ０未満となれば（Ｓ２３１：ＮＯ）、そのときのスライスレベルＬｎが新たなスライスレベルとして設定される（Ｓ２３２）。スライスレベルＬｎを初期値Ｌ０からＮｂ回ゼロレベルに対して離間させても内挿補間率Ｒが閾値Ｒ０未満とならなければ（Ｓ２３４：ＹＥＳ）、本ルーチンではスライスレベルを適正化できないとして処理が終了される。
【００６２】
なお、図４の処理フローチャートにおいても図３の場合と同様、スライスレベルＬｎをＬ０からΔＬだけゼロレベルに接近させて内挿補間率Ｒと閾値Ｒ０を比較する工程と、スライスレベルＬｎをＬ０からΔＬだけゼロレベルから離間させて内挿補間率Ｒと閾値Ｒ０を比較する工程を交互に繰り返すようにしても良い。
【００６３】
また、上記実施の形態では、再生ＲＦ信号のピークレベルをもとにスライスレベルを設定したが、ディスク種別のみからスライスレベルを設定するようにしても良い。この場合、図５に示す如く、ピーク検出回路１０９が省略される。また、スライスレベルコントローラ１１１は、内部メモリに、ディスク種別に対応付けてスライスレベルを保持している。
【００６４】
この場合、スライスレベルの設定は、図２（ｂ）のフローチャートに従って行われる。スライスレベル設定時には、まず、ディスク判別回路１１０により再生対象ディスクが判別される（Ｓ１１１）。そして、スライスレベルコントローラ１１１の内蔵メモリから、再生対象ディスクに応じたスライスレベルが読み出され、読み出されたスライスレベルが同期信号検出用のスライスレベルとして設定される（Ｓ１１２）。なお、ＨＤとＢＤに対しては、上記の如く、プラス側とマイナス側の２つのスライスレベルが設定される。また、ＤＶＤに対しては、スライスレベルがゼロレベルに設定される。
【００６５】
なお、このようにして設定されたスライスレベルは、上記図１の場合と同様、その後の再生処理動作時に適宜調整される。この調整処理は、図３または図４の処理フローに従って行われる。
【００６６】
図５に示す構成例によれば、スライスレベルコントローラ１１１の内部メモリからスライスレベルを取得するのみで済むため、スライスレベルの設定を迅速に行うことができる。
【００６７】
また、上記実施の形態では、Ｓｙｎｃ検出回路１０９から供給される内挿補間率Ｒに基づいてスライスレベルを調整するようにしたが、内挿補間率Ｒに基づくスライスレベル調整を省略することもできる。
【００６８】
図６に、この場合の構成例を示す。この構成例では、Ｓｙｎｃ検出回路１１２からスライスレベルコントローラ１１１に内挿補間率Ｒは供給されず、再生ＲＦ信号のピークレベルとディスク判別結果のみからスライスレベルが設定される。この場合、スライスレベルを初期設定時のレベルに固定しても良いが、好ましくは、再生動作時におけるピークレベルの変動に応じて、スライスレベルを変化させるようにすると良い。具体的には、再生動作時に、再生ＲＦ信号のピークレベルを随時取得し、取得したピークレベルに、当該ディスクに対応する比率γを乗じて、新たなスライスレベルを取得する。そして、取得した新たなスライスレベルを随時Ｓｙｎｃ検出回路１１２に設定する。
【００６９】
以上、本発明の実施形態について説明したが、本発明は、上記実施形態に制限されるものではない。
【００７０】
上記実施の形態では、ＨＤ、ＢＤおよびＤＶＤの互換型ディスク再生装置を示したが、さらにＣＤをも含めた互換型ディスク再生装置に本発明を適用することもできる。また、再生対象のディスクはこれらに限定されるものではなく、これ以外のディスクを再生対象ディスクとすることもできる。さらに、上記実施の形態では、デジタルＰＬＬ回路を用いてデータのサンプリングを行ったが、ＡＤＣ１０３に入力するサンプリングクロックの周期を調整するアナログＰＬＬ回路を用いてデータのサンプリングを行うようにすることもできる。
【００７１】
本発明の実施の形態は、特許請求の範囲に示された技術的思想の範囲内において、適宜、種々の変更が可能である。
【図面の簡単な説明】
【００７２】
【図１】実施の形態に係るディスク再生装置の構成を示す図
【図２】実施の形態に係るスライスレベル設定時の処理フローチャート
【図３】実施の形態に係るスライスレベル調整時の処理フローチャート
【図４】実施の形態に係るスライスレベル調整時の処理フローチャート
【図５】実施の形態に係るディスク再生装置の構成を示す図
【図６】実施の形態に係るディスク再生装置の構成を示す図
【図７】スライスレベルを固定した場合の問題点を説明する図
【図８】スライスレベルを固定した場合の問題点を説明する図
【符号の説明】
【００７３】
１０９  ピークレベル検出回路
１１０  ディスク判別回路
１１１  スライスレベルコントローラ
１１２  Ｓｙｎｃ検出回路
【図１】
2008052785.tif 000003
【図２】
2008052785.tif 000004
【図３】
2008052785.tif 000005
【図４】
2008052785.tif 000006
【図５】
2008052785.tif 000007
【図６】
2008052785.tif 000008
【図７】
2008052785.tif 000009
【図８】
2008052785.tif 000010